(57)【特許請求の範囲】
【請求項１】
幼虫の生育を維持させる水分と栄養分を保持し菌類が接種されたクヌギ、ブナ等の砕片を含む幼虫培地層と、前記幼虫培地層の下部に配置された木炭粉粒子、竹炭粉粒子等で形成された炭層と、を飼育部に収納し、前記飼育部の前記幼虫培地層と前記炭層の間に配置された透水孔を有した仕切り板、若しくは前記飼育部の底部と前記炭層の間に配置された透水孔を有した仕切り板を備え、前記仕切り板が、ヒンジ部を有していることを特徴とする幼虫飼育用菌糸ビン。
【請求項２】
前記炭層がゼオライトや発泡パーライト等の無機多孔体を含有していることを特徴とする請求項１に記載の幼虫飼育用菌糸ビン。
【請求項３】
前記仕切り板の底面に２以上の脚部を備えていることを特徴とする請求項１又は２に記載の幼虫飼育用菌糸ビン。
【請求項４】
前記幼虫培地層に炭層の粒子が混合されていることを特徴とする請求項１乃至３の内いずれか１項に記載の幼虫飼育用菌糸ビン。
【請求項５】
底部に水抜き孔が形成されていることを特徴とする請求項１乃至４の内いずれか１項に記載の幼虫飼育用菌糸ビン。
【請求項６】
前記炭層に、吸水性高分子が含有されていることを特徴とする請求項１乃至５の内いずれか１項に記載の幼虫飼育用菌糸ビン。
【発明の詳細な説明】
【０００１】
【発明の属する技術分野】
本発明はクワガタ、カブトムシ等の幼虫を生育させて羽化させるのに用いられる幼虫飼育用菌糸ビンに関する。
【０００２】
【従来の技術】
従来、クワガタやカブトムシ等の鑑賞用昆虫をさなぎ等の幼虫から成虫に人工的な環境で生育させる際には、幼虫飼育用菌糸ビンの中に幼虫が生育する朽ち木や枯れ木などの木部内部の環境を摸した培地層を形成してその中に幼虫を入れ、菌糸の作用により分泌される栄養分等で幼虫を大きく育てる生育方法が一般に採用されている。
また、幼虫飼育用菌糸ビンの内部では、菌や幼虫の生命活動により過剰の水滴が生成し、この水滴が羽化中の幼虫に接触すると羽化不良等の障害が生じることがあるため、幼虫飼育用菌糸ビンの底部に砂の層を配置して幼虫が底部の水に直接接触しないような方法も採られている。
【０００３】
【発明が解決しようとする課題】
しかしながら、前記従来の幼虫飼育用菌糸ビンは、以下のような課題を有していた。
（１）幼虫飼育用菌糸ビンの底部に溜まった水には幼虫の排泄物等が溶けこんでいるため、有害な微生物類が繁殖しやすく、悪臭等を生じて生育環境が不衛生になり易いという課題があった。
（２）底部に砂の層を配置した幼虫飼育用菌糸ビンの場合には、砂の保水能力が少ないために多量の水分を幼虫飼育用菌糸ビンの底部に保持させることが困難であり、この過剰の自由水が幼虫に接触して、幼虫の生育不全や羽化不良を引き起こす要因になるという課題があった。
（３）また、砂は飼育過程において生じる排泄物等の有害物質を吸着等により固定化する能力を有していないため、溜まった自由水は浄化されることがなく、この汚れた自由水が幼虫に接触することにより幼虫の発育不全や羽化不良を助長する要因となるという課題があった。
（４）さらに、砂中には予測できない雑菌等の微生物が存在するので、培地層内の環境を一定に維持させることが困難であり、所定の大きさと形態を有した高価値の成虫を得るための生産性に乏しいという課題があった。
（５）幼虫が砂を食べた場合、その成長に悪影響を及ぼすおそれがあるという課題があった。
（６）幼虫がその蛹室を幼虫飼育用菌糸ビンの上部側に形成する傾向があるので、多数の幼虫の蛹室を培地層の全体に分散させた状態で形成させて培地層を有効に活用することができず、経済性に乏しいという課題があった。
【０００４】
本発明は上記従来の課題を解決するもので、幼虫の生育環境を容易にコントロールできると共に、過剰の自由水により幼虫の生育不全や羽化不良を引き起こすことがなく、所定の大きさと形態を有した健全な成虫を得ることができ、培地層を有効に活用することができる経済性と生産性に優れた幼虫飼育用菌糸ビンを提供することを目的とする。
【０００５】
【課題を解決するための手段】
請求項１に記載の幼虫飼育用菌糸ビンは、幼虫の生育を維持させる水分と栄養分を保持し菌類が接種されたクヌギ、ブナ等の砕片を含む幼虫培地層と、前記幼虫培地層の下部に配置された木炭粉粒子、竹炭粉粒子等で形成された炭層と、を飼育部に収納し、前記飼育部の前記幼虫培地層と前記炭層の間に配置された透水孔を有した仕切り板、若しくは前記飼育部の底部と前記炭層の間に配置された透水孔を有した仕切り板を備え、前記仕切り板が、ヒンジ部を有して構成されている。
この構成によって以下の作用が得られる。
（ａ）幼虫飼育用菌糸ビンがその底部に炭層を備えているので、悪臭等を発生させ、生物に悪影響を与えるアンモニウムイオンや、二酸化炭素等を炭層に吸着させて保持し、腐敗や悪臭を防止して内部の衛生状態を良好に維持させることができ、幼虫を適正に生育させる生産性に優れている。
（ｂ）幼虫がその蛹室を底部側に形成しても、底部は木炭粉粒子により水分が吸着吸収されているので、水分の影響を受けて羽化不良を生じることが少なく、配置した幼虫培地層の上層から下層にわたる部分を有効に利用でき、経済性に優れる。
（ｃ）木炭粉粒子の殺菌作用等により雑菌等繁殖を防止できるので、幼虫飼育用菌糸ビンの幼虫の生育環境を所定の範囲に制御することが容易になり、所望の大きさと形態を有した成虫を効率的に生育させることができる。
（ｄ）炭層は、その表面で水分の吸着蒸発を行うことで菌糸ビン内部の湿度を所定範囲に維持させる湿度調整能力を有しているため、これによって幼虫の生育環境が整えられ、成虫を良好に羽化させることができる。
（ｅ）幼虫飼育用菌糸ビンに入れられた幼虫がその底部に移動して炭層に接触すると餌等の栄養源がないことを検知して再び上方に移動するので、底部の水分と幼虫との直接的な接触を効果的に防止できる。
（ｆ）炭層の水分保持機能と吸着能により、飼育部の環境を好適に保持し、羽化不良をなくすことができる。
（ｇ）幼虫培地層と炭層とが仕切り板によって仕切られるので、水分を保持する底部の炭層に幼虫が移動したり、蛹室を底部に形成させるのをするのを防止して、羽化不良の発生を確実に阻止することができる。
（ｈ）仕切り板を硬い合成樹脂やステンレス等の金属、陶磁器等のセラミックスで形成した場合には、長期間の使用により腐ったり、変形したりすることがなく、また幼虫によって削り取られることがなく耐久性に優れている。
（ｉ）仕切り板を底部に備えている場合、底部に水を貯めることができ、炭層が水で飽和され吸着能を失うのを防止できる。
（ｊ）仕切り板がヒンジ部を有するので、幼虫飼育用菌糸ビン上部の開口部から折り畳んだ状態で仕切り板を挿入することができ、合成樹脂板、木板、セラミックスのいずれかのような硬い材料のものであっても仕切り板として利用でき、耐久性に優れる。
仕切り板としては、合成樹脂製や金属製、セラミックス製等の厚みが１〜５ｍｍの円盤状の板材に孔径が１〜１５ｍｍ程度の透水孔を多数形成させたもの等が適用でき、透水性シートに比べて強度があるので幼虫飼育用菌糸ビンへ仕切り板をセットする際の取り扱いが容易にできる。なお、仕切り板は、ヒンジ部を用いて折り畳んだものを挿入してビン内で開いて配置することができる。
【０００６】
ここで、幼虫はクワガタ、カブトムシ等の甲虫目(比翅目）等に属する昆虫の成熟前の個体であり、その多くは土壌中や広葉樹の枯木や朽木に穿孔して生息する。一般にこれらの幼虫は大あごが頑強で木を穿つのに適し、乳白色円筒形で腹方へＣ形に曲がった体形を有している。幼虫期間はルリクワガタなどでは１年余りであるが、一般に２〜３年を要し、通常は３齢までで３回目の脱皮で蛹化する。幼虫の食物となるものは葉、茎、花、果実、種子、菌類、発酵や腐敗した動植物、枯木や朽木などであるが、幼虫を自然環境を摸した栄養分や水分等を含む幼虫飼育用菌糸ビンの中の幼虫培地層で育成して所定の大きさと形態の成虫に羽化させることができる。
【０００７】
幼虫培地層は、幼虫の好むクヌギやブナ等のおが屑に菌類を接種して、所定の温度や湿度で熟成処理等を施して菌糸を繁殖させたものを敷き詰めて形成したものである。
おが屑はおが粉、のこくずとも呼ばれ、木材を鋸、大鋸でひいたとき、刃でひきちぎられてできる木粉である。その大きさは鋸の大きさ、木の種類により異なり、０．１〜５ｍｍぐらいである。
このおが屑にフスマ等を加えてエノキタケやナメコ、ヒラタケなどの菌類を接種してビン等につめた状態で所定期間、例えば２０日〜２５日間所定温度例えば、１８℃〜２２℃の範囲に保持させて幼虫培地層となる培地を作成することができる。
おが屑にフスマ等の栄養源となる原料を添加し、水分を加えて混合したものを容器に詰め殺菌釜で５〜７時間殺菌処理し、放冷後、オオヒラタケの種菌を接種する。その後、１８〜２２℃で２０〜２５日間培養する。袋におが屑をブロック状に詰めたものを培養し、それを粉砕しガラス瓶等に詰め換える方法もある。
これらヒラタケ等の菌類は本体(栄養体)を構成する分枝した細い糸状の菌糸を有しており、この菌糸が適当な水分や温度、湿度、有機及び無機成分等の条件下で生長して菌糸体を生成し、幼虫に栄養分を供給したり、その成長環境を保持させたりする機能を有している。
【０００８】
炭層に用いる材料としては木炭や竹炭その他の材料を破砕して所定粒度に調整した木炭粉粒子や竹炭粉粒子、活性炭等を用いる。木炭粉粒子としては黒炭と、白炭等の粉化物が用いられる。
活性炭としては、特別に賦活と呼ばれる処理をして、内部に無数の小さい孔を発達させて吸着剤としての能力を高めたものも用いることができる。この場合の原料物質は木材、竹材、ヤシ殻、石炭(歴青炭、褐炭、亜炭)、石油ピッチ等であり、この製法には高温で炭化してから、水蒸気等により一部ガス化して微細孔を作り出す賦活法と、脱水・炭化を促進する薬品と混合して焼成後薬品を除く賦活法がある。賦活法により得られる活性炭は、その製法や原料により差異はあるが、いずれも内部表面積が１０００ｍ２／ｇ以上で、その表面がグラファイトの炭素骨格から成っている。このため炭化水素、有機物など疎水性の物質を選択的に吸着することができ、異臭防止等の効果が得られる。なお、炭層には、前記活性炭の他に自然環境にある土や砂、コンクリート砕片、ペットボトル等を破砕したプラスチック粒等を必要に応じて配合して用いることもできる。
炭層に添加する木炭や竹炭等の活性炭の平均粒径は、０．１〜２０ｍｍ好ましくは０．５〜１０ｍｍの範囲とする。これは、活性炭の平均粒径が０．５ｍｍより小さくなるにつれ接触面積が増えるため、有害物に対する吸着能力及びイオン交換の効率は増すが、菌類等の担持体としての強度や菌保持性等が弱まる傾向にあり、逆に１０ｍｍを超えると有効表面積が不足し吸着能力に欠ける傾向にあるからであり、これらの傾向は０．１ｍｍより小さくなるか、２０ｍｍを超えるとさらに顕著になる。
【０００９】
炭層の厚みは、幼虫培地層の量や種類、及び幼虫の種別、個体数等によっても変動するが、幼虫飼育用菌糸ビンの飼育部の底部から２〜２５％、好ましくは５〜１５％の高さとする。これは、炭層の厚みが５％より小さくなるにつれ、幼虫培地層の菌類や幼虫の活動等で生成した過剰な水分やアンモニウムイオン、炭酸ガス等を炭層で捕捉することが困難になる傾向が現れ、逆に炭層の厚みが１５％を超えるにつれ幼虫培地層の水分の脱水が激しく、幼虫培地層の含水率が下がり涸れる傾向が現れだすとともに、該ビンの大小によっては、相対的に幼虫培地層のスペースが減少して育成効率が悪くなる傾向が現れ、これらの傾向は２％より少なくなるか２５％を超えるとさらに顕著になるからである。
また、幼虫培地層の厚みＡと炭層の厚みＢとの比（Ａ／Ｂ）は８０／２０〜９５／５好ましくは８５／１５〜９０／１０の範囲とする。これは比（Ａ／Ｂ）が８５／１５より少なくなるにつれ、幼虫を健全に育成するのに必要な幼虫培地層を確保するのが困難になる傾向が現れ、逆に比（Ａ／Ｂ）が９０／１０を超えるにつれ、菌類や幼虫の活動等で生成した過剰な水分やアンモニウムイオン、炭酸ガス等を炭層で捕捉することが困難になる傾向が現れ、これらの傾向は８０／２０より少なくなるか９５／５を超えるとさらに顕著になるからである。
【００１０】
幼虫飼育用菌糸ビンは、ポリエチレン、ポリプロピレン、ポリスチレン、ポリエチレンテレフタレート等の合成樹脂製又はガラス製からなる円筒形又は角柱形に形成された容器であり、その開口部の中央にフィルター等の通気部を備えたキャップにより封止でき、その飼育部の底部に炭層が敷き詰められ、その上に幼虫培地層が配置されて収納されるようになっている。
幼虫飼育用菌糸ビンは、内部に収納した幼虫の生育状態が観察できるようにガラスや合成樹脂製の透明な素材を用いることが好ましいが、熱伝導性に優れたアルミやスチール等の金属材料をその前部又は一部に適用して、幼虫飼育用菌糸ビンの温度管理や温度制御の操作を容易にすることもできる。
また、必要に応じて幼虫飼育用菌糸ビンの底部の下部やその側部等に水抜き孔を設け、この水抜き孔を開閉して幼虫培地層内の湿度や水分を幼虫の生育に適した範囲内に調整することもできる。
【００１１】
請求項２に記載の幼虫飼育用菌糸ビンは、請求項１に記載の発明において、前記炭層がゼオライトや発泡パーライト等の無機多孔体を含有して構成されている。
この構成によって、請求項１の作用の他、以下の作用が得られる。
（ａ）炭層がゼオライトや発泡パーライト等の無機多孔体の粒子を含有しているので、無機多孔体の水分保持能力により幼虫培地層の水分を保持することができ、幼虫を効果的に生育させることのできる生産性に優れている。
（ｂ）ゼオライト等の無機多孔体を用いているので、多孔質のゼオライト粒子等の無機多孔体の表面に菌類等を含む微生物を担持させることができ、微生物による有害物等の分解作用を有効に利用して、幼虫飼育用菌糸ビン内の幼虫の生育環境を良好な状態に調整することができる。
（ｃ）また、ゼオライト等の粒子は木炭粒子とは異なる分子量範囲の成分に対する吸着能力とイオン交換能力を有するため、ゼオライト等の粒子を含有した炭層は低分子量から高分子量にわたる成分、例えばアンモニウムイオン等を含む有害物質を吸着保持し、衛生状態をより良好に維持させることができる。
【００１２】
ここで、無機多孔体としてはゼオライト、発泡パーライト、シラス、沸石等が用いられる。
炭層に添加するゼオライトの平均粒径は、０．１〜５ｍｍ、好ましくは０．５〜１ｍｍの範囲とする。これは、平均粒径が０．５ｍｍより少なくなるにつれ水との接触面積が増えるため、吸着能力及びイオン交換の効率は増すが、菌類等の担持体としての強度や菌保持性等が弱まる傾向にあり、逆に１ｍｍを超えると有効表面積が不足し水等の保持能力に欠ける傾向にあるからであり、これらの傾向は０．１ｍｍより小さくなるか、５ｍｍを超えるとさらに顕著になる。
【００１５】
請求項３に記載の幼虫飼育用菌糸ビンは、請求項１又は２に記載の発明において、前記仕切り板の底面に２以上の脚部を備えて構成されている。
この構成によって、請求項１又は２の作用の他、以下の作用が得られる。
（ａ）仕切り板の底面に２以上の脚部を備えているので、仕切り板を底部に配置した場合、その下部に水を貯留し、炭層が水で濡れるのを防止でき、また、その上に所定厚みの炭層を保持させたりすることが容易になり利便性に優れている。
（ｂ）仕切り板の上部に透水性シートを配置することにより、炭層を保持できる。
【００１６】
請求項４に記載の幼虫飼育用菌糸ビンは、請求項１乃至３の内いずれか１項に記載の発明において、前記幼虫培地層に炭層の粒子が混合されて構成される。
この構成によって、請求項１乃至３の内いずれか１項の作用の他、以下の作用が得られる。
（ａ）幼虫培地層に炭粉が所定量添加され分散されているので、活性炭表面の微細気孔内に菌類を担持させて菌類の成長を促進させることができる。
（ｂ）活性炭に幼虫に対して有害な成分や過剰水分等を吸着させることができ、幼虫の生育に適した環境を幼虫培地層に形成させることができる。
（ｃ）活性炭を幼虫培地層に添加するので、この添加量を調整して、幼虫の生態や種類等に応じて生育に適した良好な環境を設定することができる。
【００１７】
請求項５に記載の幼虫飼育用菌糸ビンは、請求項１乃至４の内いずれか１項に記載の発明において、底部に水抜き孔が形成されて構成される。
この構成によって、請求項１乃至４の内いずれか１項の作用の他、以下の作用が得られる。
（ａ）底部に開閉可能な水抜き孔が形成されているので、幼虫飼育用菌糸ビン内の幼虫の生態を観察しながらその状態に応じて、水抜き孔を開閉して、水分の調節を行って、幼虫飼育用菌糸ビン内の環境を適正に維持させることができ、これによって幼虫羽化の生産性を向上できる。
請求項６に記載の幼虫飼育用菌糸ビンは、請求項１乃至５の内いずれか１項に記載の発明において、前記炭層に吸水性高分子が含有された構成を有している。
この構成によって、請求項１乃至５の内いずれか１項の作用の他、以下の作用が得られる。
（ａ）炭層に吸水性高分子を含有させた場合には、一旦、吸水性高分子に吸水された水分が上部の幼虫培地層に戻るようなことがなく、羽化中の幼虫に水分が直接接触することで生じる羽化不良等の異常成長を防止して、幼虫飼育用菌糸ビン内で成虫を効果的に羽化させることができる。
（ｂ）吸水性高分子が水分を吸収して膨張し、炭層の上部に配置された幼虫培地層を押し上げるので、これにより幼虫培地層に圧力を付与して、幼虫培地層の圧密状態を良好に維持させ幼虫羽化の生産性を高めることができる。
【００１８】
【発明の実施の形態】
以下、本発明の実施の形態につき図面を参照しながら説明する。
（実施の形態１）
図１は実施の形態１の幼虫飼育用菌糸ビンの断面図である。
図１において、１０は実施の形態１の幼虫飼育用菌糸ビン、１１は幼虫の生育を維持させる水分と栄養分を保持し菌類が接種されたクヌギ等の砕片を含む幼虫培地層、１２は幼虫培地層１１の下部に配置された木炭粉粒子等の炭層、１３は幼虫培地層１１及び炭層１２を収納する円筒状に形成された透明なポリスチレン製の容器本体、１４は容器本体１３の開口部を覆うキャップ、１４ａはキャップ１４の中央に配設されたフィルター部である。
幼虫培地層１１を形成する培地は、以下ようにして作成した。
まず、クヌギ９５容量％、米ぬか５容量％の配合物にヒラタケ等の菌種を接種して水分を添加して混合する。次に、この混合物を容器本体１３又は他の容器に入れて保持して、所望の培地を作成した。この培地の保持水分量は約４８重量％（５０〜５５重量％）であった。
炭層１２は、その粒径が０．５〜１０ｍｍの木炭粉粒子を容器本体１３の底部に菌糸ビン１０の深さに対して約５〜２０％の厚みで敷き詰めて形成した。
この炭層１２に前述の培地を所定量載せその上部を均一な圧力で押圧して培地の充填度合を調整し、必要により培地を補給することで幼虫飼育用菌糸ビンの上部まで幼虫培地層１１を形成させた。
次に、甲虫類であるクワガタの幼虫（１〜３齢）を幼虫培地層１１に埋め込むようにして入れ、必要に応じて、所定の水分や栄養分等を適宜添加しながらキャップ１４で幼虫飼育用菌糸ビン１０を密閉した状態で室温が１８〜２３℃の屋内に保持して、幼虫を生育させた。
こうして、最終的に幼虫を幼虫飼育用菌糸ビン１０に入れてから２４０〜３６０日後に幼虫を羽化させ、大きさと形態に優れ、愛玩用昆虫として付加価値の高いクワガタの成虫を得た。
【００１９】
実施の形態１の幼虫飼育用菌糸ビン１０は以上のように構成されているので、以下の作用を有する。
（ａ）幼虫飼育用菌糸ビン１０がその底部に炭層１２を備えているので、悪臭等を発生させるアンモニウムイオンやイオウ化合物、炭酸ガス等の有害成分を炭層に吸着させて保持し、内部の衛生状態を良好に維持させることができ、幼虫を適正に生育させ生産性に優れている。
（ｂ）幼虫がその蛹室を底部側に形成しても、直接水分が幼虫に接触して羽化不良を生じることが少なく、幼虫飼育用菌糸ビン１０内に配置した幼虫培地層１１を有効に利用でき、経済性に優れる。
（ｃ）下部に有害成分や過剰水分等を吸着して保持できる炭層を有するので、雑菌等の成長を防ぎ、幼虫飼育用菌糸ビン１０の幼虫の生育環境を好適に整えることが容易になり、所望の大きさと形態を有した成虫を効率的に生育させることができる。
【００２０】
（実施の形態２）
図２は実施の形態２の幼虫飼育用菌糸ビンの断面図である。
図２において、２０は実施の形態２の幼虫飼育用菌糸ビン、２１は幼虫の生育環境を維持させる水分と栄養分を保持し菌類が接種されたクヌギ等の砕片を含む幼虫培地層、２２は幼虫培地層２１の下部に配置された木炭粉粒子等の炭成分及びゼオライト２２ａを含む炭層、２３は幼虫培地層２１及び炭層２２を収納する円筒状に形成されたガラス製の容器本体、２４は容器本体２３の開口部を覆うキャップ、２４ａはフィルター部、２５は幼虫培地層２１及び炭層２２間に配置されたポリエステル製の不織布や木綿製の織布からなる透水性シートである。
実施の形態２の幼虫飼育用菌糸ビン２０は、幼虫培地層２１と炭層２２との間に透水性シート２５を有する点と、炭層２２にゼオライト２２ａを含有させている点で実施の形態１の幼虫飼育用菌糸ビン１０と大きく異なっている。
透水性シート２５は幼虫がその生活環境となる幼虫培地層２１から抜け出て炭層２２と直接接触するのを防止すると共に、幼虫培地層２１で生成した過剰水分や有害成分を選択的に透過させ、透水性シート２５の下部に配置された炭層２２に吸着保持させている。
【００２１】
なお、ゼオライト２２ａの代わりに、シラス等の無機多孔体を用いてもよい。炭層へのゼオライトの混合量は、木炭粉粒子粒子等の炭成分（ａ）とゼオライト（ｂ）の混合比がａ／ｂ＝１／０．０５〜０．０５／１で行われる。
透水性シート２５を用いる代わりに、ヒンジ部を有する合成樹脂板、木板、セラミックス板で形成された仕切り板を用いることもできる。この場合は、ヒンジ部の部分で仕切り板を折り畳んだ状態でビンの入り口から挿入して配置する。また、合成樹脂板が比較的柔らかい場合は折り曲げた状態で中に挿入できる。さらに、このような仕切り板に２以上の脚部を設けておけば、下部に所定の空間を形成でき、仕切り板の下部に炭層を設ける際に設定が容易になる。また、仕切り板を幼虫飼育用菌糸ビン１０のビン底に配置し、脚部によって形成される空間を幼虫飼育用菌糸ビン１０内で生じる自由水の貯留部として用いることも可能である。
容器本体２３は熱伝導性の高いガラスで形成されており、これによって、幼虫飼育用菌糸ビン２０の配置される室内や屋外等の温度と、幼虫飼育用菌糸ビン２０内の温度との差を少なく保持して、幼虫の育成に適した温度条件を容易に維持させることができる。
なお、幼虫培地層２１には必要に応じて、木炭粉粒子等の活性炭成分を含む粒子を所定量、例えば１〜１０重量％を含有させて、水分や特定成分に対する吸着作用や菌類の担持作用等を利用して培地内の幼虫の生育環境を整えることで品質に優れた健全な成虫を羽化させることも可能である。
このような粒子の含有量が１重量％より少ないと、前述の幼虫の生育環境を整える効果が減退し、逆に１０重量％を超えると菌類が枯死するなどの弊害が生じるので好ましくない。
【００２２】
幼虫培地層２１を形成する培地は、以下ようにして作成した。
まず、クヌギ、ナラ、米ぬかの配合物にエノキタケ等の菌種を接種して水分を添加して混合した。次に、この混合物を容器本体２３又は他の容器に入れて所定条件で保持して、所望の培地を作成した。この培地の保持水分量は約４８重量％であった。
炭層２２はその粒径が０．５〜２ｍｍの木炭粉粒子とほぼ同様の粒度のゼオライトの混合物からなり、この混合物を容器本体２３の底部に約５〜１０ｍｍの厚みで敷き詰めて形成した。
なお、木炭粉粒子（Ｍ）とゼオライト（Ｚ）の重量比（Ｍ／Ｚ）は０．５〜２の範囲とした。これは重量比（Ｍ／Ｚ）が０．５より小さいと木炭粉粒子により吸着することのできる有害成分の量が不足することになり、逆に２を超えるとゼオライトにより担持させることのできる有害成分や菌類等が不足するからである。
この炭層２２の上に透水性シート２５を被せて配置した後、前述の培地を所定量載せその上部を均一な圧力で押圧して培地の充填度合を調整し、必要により培地を補給することで幼虫飼育用菌糸ビン２０の上部まで幼虫培地層２１を形成させた。
次に、クワガタの幼虫（１〜３齢）を幼虫培地層２１に埋め込むようにして入れ、必要に応じて、所定の水分や栄養分等を適宜添加しながらキャップ２４で幼虫飼育用菌糸ビン２０を密閉した状態で室温が１８〜２２℃の屋内に保持して、幼虫を生育させた。
最終的に３齢後期の幼虫を幼虫飼育用菌糸ビン２０に入れてから約４５日後に幼虫を羽化させ、大きさと形態に優れたクワガタの成虫を得た。
【００２３】
実施の形態２の幼虫飼育用菌糸ビン２０は以上のように構成されているので、実施の形態１の作用に加えて、以下の作用を有する。
（ａ）炭層２２がゼオライトの粒子を含有しているので、幼虫培地層２１の水分を保持することのできる空間が幼虫飼育用菌糸ビン２０の底部に確保され、幼虫を効果的に生育させることができ、その生産性に優れている。
（ｂ）ゼオライトを用いているので、多孔質であるゼオライト粒子の表面に菌類等を担持させることができ、菌類による有害物等の分解作用を有効に利用して、幼虫飼育用菌糸ビン２０内の幼虫の生育環境を良好に調整することができる。
（ｃ）幼虫培地層２１と炭層２２とが透水性シート２５によって仕切られるので、水分を保持する底部の炭層２２に幼虫が移動したり、蛹室を底部に形成させるのをするのを防止して、羽化不良の発生を確実に阻止することができる。
（ｄ）透水性シート２５が不織布や織布からなるので、幼虫培地層２１の水分を下部の炭層２２に吸収させるのに必要な透水性と、幼虫の移動を阻止する強度とを適正にバランスよく保持させることができる。
（ｅ）幼虫培地層２１に活性炭の成分を所定量添加した場合には、活性炭表面の微細気孔内に菌類を担持させて菌類の成長を促進させることができる。
（ｆ）さらに、木炭粉粒子などの活性炭成分を幼虫培地層２１に分散させることで、幼虫に対して有害な成分や過剰水分等を木炭粉粒子に吸着させることができ、この添加量を調整して、幼虫の生態や種類等に応じて生育に適した良好な環境を設定することができる。
【００２４】
（実施の形態３）
図３は実施の形態３の幼虫飼育用菌糸ビンの断面図である。
図３において、３０は実施の形態３の幼虫飼育用菌糸ビン、３１は幼虫培地層、３２は幼虫培地層３１の下部に配置された木炭粉粒子等の活性炭及びゼオライトを含む炭層、３３は幼虫培地層３１及び炭層３２を収納する円筒状に形成されたポリエチレン製の容器本体、３４は容器本体３３の開口部を覆うキャップ、３４ａはフィルター部、３５は容器本体３３の底部の水抜き孔に設けられた水抜き管、３６は水抜き管３５の端部を開閉自在に封止するための栓部である。
実施の形態３の幼虫飼育用菌糸ビン３０は、容器本体３３の底部に水抜き孔を有している点で実施の形態１の幼虫飼育用菌糸ビン１０と異なっている。
容器本体３３の底部に設けられる水抜き管３５は、ビニールなどの合成樹脂製チューブであり、容器本体３３と一体に形成するか、容器本体３３の底部を穿孔して形成した水抜き孔にネジ部などを設けてネジ切りした水抜き管３５の端部を着脱自在に取り付けたり、あるいは接着剤を介して固定してもよい。
【００２５】
なお、炭層３２には、木炭粉粒子やゼオライトなどの他に吸水性高分子や砂などを含有させることも可能である。
吸水性高分子を炭層３２に適用した場合には、炭層３２の保水性を高めることができる。吸水性高分子は、カルボキシル基、水酸基、エーテル基、アミド基等の親水性の官能基を有する高分子であり、純水の場合、高分子の自重の数百倍から千倍近くを急速に吸収して、ゲル化固定する作用を有するものであり、澱粉にアクリル酸塩をグラフト共重合させた澱粉系、カルボキシセルロースにアクリル酸塩をグラフト共重合させたセルロース系、アクリル酸・ビニルアルコール共重合体、アクリル酸重合体、アクリル酸・アクリルアミド重合体、ポリエチレンオキシド変性物等の合成系のもの等が適用できる。なお、吸水性高分子の形態としては顆粒状、繊維状、ペレット状のものをシート状の担持体に担持させたものや、これらを繊維にして不織布、織布等のシート状にしたもの等を炭層３２に用いることができる。
また、炭層３２に砂を配合した場合には、安価な材料を用いて幼虫飼育用菌糸ビンを経済性に製造することができる。
【００２６】
この炭層３２の上に実施の形態１と同様に作成した培地を所定量載せその上部を均一な圧力で押圧して培地の充填度合を調整し、必要により培地を補給することで幼虫飼育用菌糸ビン３０の上部まで幼虫培地層３１を形成させた。
次に、図３に示すように約１〜７０ｇのクワガタの幼虫（１〜３齢）を幼虫培地層３１に埋め込むようにして入れ、所定の水分や栄養分等を適宜添加しながらキャップで幼虫飼育用菌糸ビン３０を密閉した状態で保持して、幼虫を生育させた。この間、幼虫飼育用菌糸ビン３０内を観察して、炭層３２に過剰の水分が生じた場合には、水切り管３５の排出口を下方に下げ栓部３６を外して、溜まった水分を抜き取ることで、幼虫飼育用菌糸ビン３０内における幼虫の生育環境が適正に維持されるように調整して、羽化不良のない良好な成虫が得られた。
【００２７】
実施の形態３の幼虫飼育用菌糸ビン３０は以上のように構成されているので、実施の形態１の作用に加えて、以下の作用を有する。
（ａ）容器本体３３の底部に開閉可能な水抜き孔が形成されているので、幼虫飼育用菌糸ビン３０内の幼虫の生態を観察しながらその状態に応じて、水抜き孔を開閉して、水分の調節を行って、幼虫飼育用菌糸ビン３０内の環境を適正に維持させることができ、これによって幼虫羽化の生産性を向上させることができる。
（ｂ）炭層３２に吸水性高分子を含有させた場合には、一旦、吸水性高分子に吸水された水分が上部の幼虫培地層３１に戻るようなことがなく、羽化中の幼虫に水分が直接接触することで生じる羽化不良等の異常成長を防止して、幼虫飼育用菌糸ビン３０内で成虫を効果的に羽化させることができる。
（ｃ）吸水性高分子が水分を吸収して膨張し、炭層３２の上部に配置された幼虫培地層を押し上げるので、これにより幼虫培地層３１に圧力を付与して、幼虫培地層の圧密状態を良好に維持させ幼虫羽化の生産性を高めることができる。
【００２８】
【発明の効果】
請求項１に記載の幼虫飼育用菌糸ビンによれば、以下の効果が得られる。
（ａ）幼虫飼育用菌糸ビンがその底部に炭層を備えているので、悪臭等を発生させ、生物に悪影響を与えるアンモニウムイオンや、二酸化炭素等を活性炭に吸着させて保持し、腐敗や悪臭を防止して内部の衛生状態を良好に維持させることができ、幼虫を適正に生育させる生産性に優れている。
（ｂ）幼虫がその蛹室を底部側に形成しても、底部は木炭粉粒子により水分が吸着吸収されているので、水分の影響を受けて羽化不良を生じることが少なく、配置した幼虫培地層の上層から下層にわたる部分を有効に利用でき、経済性に優れる。
（ｃ）木炭粉粒子の殺菌効果等により雑菌等が入る余地が少ないので、幼虫飼育用菌糸ビンの幼虫の生育環境を所定の範囲に制御することが容易になり、所望の大きさと形態を有した成虫を効率的に生育させることができる。
（ｄ）炭層は、その表面で水分の吸着蒸発を行うことで菌糸ビン内部の湿度を所定範囲に維持させる湿度調整能力を有しているため、幼虫の生育環境が整えられ、成虫を良好に羽化させることができる。
（ｅ）幼虫飼育用菌糸ビンに入れられた幼虫がその底部に移動して炭層に接触すると餌等の栄養源がないことを検知して再び上方に移動するので、底部の水分と幼虫との直接的な接触を効果的に防止できる。
（ｆ）幼虫培地層と炭層とが仕切り板によって仕切られるので、水分を保持する底部の炭層に幼虫が移動したり、蛹室を底部に形成させるのをするのを防止して、羽化不良の発生を確実に阻止することができる。
（ｇ）仕切り板を硬い合成樹脂やステンレス等の金属、陶磁器等のセラミックスで形成した場合には、長期間の使用により腐ったり、変形したりすることがなく、また幼虫によって削り取られることがなく耐久性に優れている。
（ｈ）仕切り板がヒンジ部を有するので、幼虫飼育用菌糸ビン上部の開口部から折り畳んだ状態で仕切り板を挿入することができ、硬い材料のものであっても仕切り板として利用でき、耐久性に優れる。
【００２９】
請求項２に記載の幼虫飼育用菌糸ビンによれば、請求項１の効果の他、以下の効果が得られる。
（ａ）炭層がゼオライトや発泡パーライト等の無機多孔体の粒子を含有しているので、幼虫培地層の水分を保持することのできる空間が確保され、幼虫を効果的に生育させることのできる生産性に優れている。
（ｂ）ゼオライトを用いているので、多孔質のゼオライト粒子等の無機多孔体の表面に菌類等を含む微生物を担持させることができ、微生物による有害物等の分解効果を有効に利用して、幼虫飼育用菌糸ビン内の幼虫の生育環境を良好な状態に調整することができる。
（ｃ）また、ゼオライトの粒子は木炭粒子とは異なる分子量範囲の成分に対する吸着能力とイオン交換能力を有するため、ゼオライトの粒子を含有した炭層は低分子量から高分子量にわたる成分、例えばアンモニウムイオン等を含む有害物質を吸着保持し、衛生状態をより良好に維持させることができる。
【００３２】
請求項３に記載の幼虫飼育用菌糸ビンによれば、請求項１又は２の効果の他、以下の効果が得られる。
（ａ）仕切り板の底面に２以上の脚部を備えているので、仕切り板の下部に所定厚みの空間を形成させることができ、この空間内に飼育部で生じる自由水等の水を溜めたり、所定厚みの炭層を保持させたりすることが容易になり利便性に優れている。
【００３３】
請求項４に記載の幼虫飼育用菌糸ビンによれば、請求項１乃至３の内いずれか１項の効果の他、以下の効果が得られる。
（ａ）幼虫培地層に活性炭が所定量添加され分散されているので、活性炭表面の微細気孔内に菌類を担持させて菌類の成長を促進させることができる。
（ｂ）活性炭に幼虫に対して有害な成分や過剰水分等を吸着させることができ、幼虫の生育に適した環境を幼虫培地層に形成させることができる。
（ｃ）活性炭を幼虫培地層に添加するので、この添加量を調整して、幼虫の生態や種類等に応じて生育に適した良好な環境を設定することができる。
【００３４】
請求項５に記載の幼虫飼育用菌糸ビンによれば、請求項１乃至４の内いずれか１項の効果の他、以下の効果が得られる。
（ａ）底部に開閉可能な水抜き孔が形成されているので、幼虫飼育用菌糸ビン内の幼虫の生態を観察しながらその状態に応じて、水抜き孔を開閉して、水分の調節を行って、幼虫飼育用菌糸ビン内の環境を適正に維持させることができ、幼虫羽化の生産性を向上できる。
請求項６に記載の幼虫飼育用菌糸ビンによれば、請求項１乃至５の内いずれか１項の効果の他、以下の効果が得られる。
（ａ）炭層に吸水性高分子を含有させた場合には、一旦、吸水性高分子に吸水された水分が上部の幼虫培地層に戻るようなことがなく、羽化中の幼虫に水分が直接接触することで生じる羽化不良等の異常成長を防止して、幼虫飼育用菌糸ビン内で成虫を効果的に羽化させることができる。
（ｂ）吸水性高分子が水分を吸収して膨張し、炭層の上部に配置された幼虫培地層を押し上げるので、これにより幼虫培地層に圧力を付与して、幼虫培地層の圧密状態を良好に維持させ幼虫羽化の生産性を高めることができる。
【図面の簡単な説明】
【図１】実施の形態１の幼虫飼育用菌糸ビンの断面図
【図２】実施の形態２の幼虫飼育用菌糸ビンの断面図
【図３】実施の形態３の幼虫飼育用菌糸ビンの断面図
【符号の説明】
１０  実施の形態１の幼虫飼育用菌糸ビン
１１  幼虫培地層
１２  炭層
１３  容器本体
１４  キャップ
２０  実施の形態２の幼虫飼育用菌糸ビン
２１  幼虫培地層
２２  炭層
２３  容器本体
２４  キャップ
２５  透水性シート
３０  実施の形態３の幼虫飼育用菌糸ビン
３１  幼虫培地層
３２  炭層
３３  容器本体
３４  キャップ
３５  水抜き管
３６  栓部
【図１】
0003682240.tif 000002
【図２】
0003682240.tif 000003
【図３】
0003682240.tif 000004